(57)【特許請求の範囲】
【請求項１】
指紋識別を備えたジッパーロックであり、前記ジッパーロックは、ジッパーを使用して開閉される物品に設置され、前記ジッパーロックは、可動ロック片と、前記ジッパーの一端に設けられたロックボックスを含み、
前記可動ロック片は、前記ジッパーの開閉を制御するジッパーヘッドに接続されており、
前記ジッパーヘッドがジッパーを閉じると、前記可動ロック片は前記ロックボックスに着脱可能に積み重ねられ、ロックされ、
前記可動ロック片は内面と外面を有し、前記外面には指紋取得モジュールまたは指紋読取装置が設けられ、前記内面には前記指紋取得モジュールまたは前記指紋読取装置に電気的に接続された一組の接触端子および前記ロックボックスをロックするためのロック穴が設けられ、
前記ロックボックスは外面を有し、前記外面には前記可動ロック片の内側が重なり合うための位置決め部が設けられており、前記位置決め部には、前記可動ロック片の接触端子に接触可能な一組の弾性端子と、前記可動ロック片の内面に当接する押圧スイッチと、前記ロック穴にロック可能なロックフックとが設けられており、
前記ロックボックスには、接触端子と弾性端子間の接触を通じて前記指紋取得モジュールまたは指紋読取装置から信号を受信できるマイクロプロセッサと、前記マイクロプロセッサの命令を受信することにより、前記ロックフックのロック解除を制御する駆動ユニットと、前記弾性端子と押圧スイッチに電気的に接続された電源モジュールとが設置されており、
前記可動ロック片が押された後、前記押圧スイッチがオンになり、前記電源モジュールが電力の供給を開始し、弾性端子および接触端子を介して可動ロック片の指紋取得モジュールまたは指紋読取装置に電力が供給され、指紋取得または指紋識別を実行した後、信号は、接触端子と弾性端子を介してマイクロプロセッサに送信され、前記マイクロプロセッサは前記駆動ユニットを制御してロックフックをロック穴から外し、ロックを解除することを特徴とする、指紋識別を備えたジッパーロック。
【請求項２】
前記指紋取得モジュールは、指紋を取得した後、指紋特性データ信号を送信し、前記マイクロプロセッサは比較および識別のために前記指紋特性データ信号を受信し、指紋が正しいと識別されると、前記マイクロプロセッサは前記駆動ユニットを制御してロックフックのロックを解除することを特徴とする、請求項１に記載の指紋識別を備えたジッパーロック。
【請求項３】
前記指紋読取装置は、指紋を取得して比較し、正しい指紋であれば、ロック解除信号を発信し、前記ロック解除信号を受信した後、前記マイクロプロセッサは前記駆動ユニットを制御してロックフックを駆動し、ロックを解除することを特徴とする、請求項１に記載の指紋識別を備えたジッパーロック。
【請求項４】
前記電源モジュールは、充/放電できるバッテリーを含み、前記ロックボックスの外面には、前記バッテリーに電気的に接続された充電プラグポートがさらに設けられており、前記充電プラグポートに接続された外部電源で前記バッテリーを充電することを特徴とする、請求項１に記載の指紋識別を備えたジッパーロック。
【請求項５】
前記ロックボックスは、前記充電プラグポートを覆うことができる保護カバーをさらに含むことを特徴とする、請求項４に記載の指紋識別を備えたジッパーロック。
【請求項６】
前記ロックボックスの外面には、ジッパーロックの状態を表示可能なＬＥＤ表示ランプと、指紋を追加および削除することができる指紋設定キーとがさらに設けられており、前記ＬＥＤ表示ランプおよび指紋設定キーは、それぞれ前記マイクロプロセッサに電気的に接続されていることを特徴とする、請求項１に記載の指紋識別を備えたジッパーロック。
【請求項７】
前記ロックボックスの外面には、前記マイクロプロセッサに電気的に接続された感知ユニットがさらに設けられ、前記感知ユニットは、ロック解除可能な外部感知キーをさらに含むことを特徴とする、請求項１に記載の指紋識別を備えたジッパーロック。
【請求項８】
前記ロックボックスの位置決め部は、前記可動ロック片の外側輪郭と実質的に同じ溝の形状を呈しており、前記可動ロック片がロックボックスに対して積み重ねられ、ロックボックスによってロックされている場合、前記可動ロック片の外面はロックボックスの外側表面と実質的に同一平面にあることを特徴とする、請求項１に記載の指紋識別を備えたジッパーロック。
【請求項９】
前記可動ロック片の内面と前記ロックボックスの位置決め部との間には、互いに位置合わせ可能な位置決めポストと位置決め穴がそれぞれ設けられていることを特徴とする、請求項１に記載の指紋識別を備えたジッパーロック。
【発明の詳細な説明】
【技術分野】
【０００１】
本発明は、指紋識別ロックを解除する方法および指紋識別を備えたジッパーロックに関する。目的は、可動ロック片に指紋取得／識別モジュールを設定し、ロックボックスに電源モジュールを設定することである。ユーザーが可動ロック片を押すと、ロックボックス内の電源モジュールが指紋の取得または識別のために可動ロック片への電力供給を開始し、省電力及び、指紋識別ロックのサイズを削減することができる。
【背景技術】
【０００２】
ジッパーロックは、通常、荷物およびブリーフケースに取り付けられ、部外者が自由に開けることを防止している。一般的なジッパーロックは、ジッパーの端にあるパスワードまたはキーで開かれるロックボックスであり、ジッパーをジッパーヘッドでしっかりと閉じた後、ジッパーヘッドのジッパータブをロックボックスにロックして、盗難防止機能を実現し、セキュリティを向上させることができる。
【０００３】
技術の進歩に伴い、指紋を使用してロックを解除するロックも開発された。一般的な指紋ロックには、指紋読取装置、電気錠、バッテリー、マイクロプロセッサ、その他のコンポーネントが含まれる。これらのコンポーネントは通常、ロックボックスに配置されているため、ロックボックスは物品の表面に取り付けられたときに特定の大きさを占めるので、あまり美しくない。さらに、指紋ロックの電源は、ユーザーがいつでも指紋読取装置を使用してロックを解除できるように、スタンバイで連続的な電源状態を維持する必要がある。
【０００４】
関連技術において、ＣＮ２０６８２２２３６Ｕは、ジッパーに指紋読取装置が配置されたものである。ＣＮ２０６８２２２３６Ｕには２つのジッパーがあり、そのうちの１つには指紋ロックとロックコンポーネントがあり、２つのジッパータブが互いに近づくと、指紋ロック付きのジッパータブを他のジッパータブにロックして、盗難防止機能を実現できる。しかし、指紋読取装置、マイクロプロセッサ、ロックコンポーネント、およびバッテリーがジッパータブに取り付けられた後、一方では大きすぎて、操作が不便であるという欠点がある。一方、バッテリーはジッパータブ上の指紋読取装置とマイクロプロセッサをスタンバイ状態に保つために電力を供給し続ける必要があるが、それでも高速電力消費の問題を解決することはできない。
【０００５】
別の関連する既知の技術ＣＮ２０５８８４９５２Ｕは、ジッパータブ上に指紋識別シートを設置することであり、指紋コンパレータ、バッテリー、メモリストレージ、および他のコンポーネントは、盗難防止機能を達成するために財布に設置される。この既知の技術では、指紋識別シートを指紋コンパレータとバッテリーから分離して設置される。しかし、ジッパータブ上の指紋識別シートは、電力を得るために導線を使用して、財布内のバッテリーおよび指紋コンパレータに電気的に接続する必要がある。一方では、ジッパータブをジッパー上で動かすと、導線も一緒に動かさなければならず、その結果、製品の組み立てが複雑になり、コストが高くなる。一方、導線も断裂して破損し易い。さらに、このＣＮ２０６８２２２３６Ｕは、前述のバッテリーがジッパータブに継続的に電力を供給しなければならないという問題をまだ克服しておらず、高速電力消費の欠点を改善できない。
【先行技術文献】
【特許文献】
【０００６】
【特許文献１】中国特許ＣＮ２０６８２２２３６Ｕ号明細書
【特許文献２】中国特許ＣＮ２０５８８４９５２Ｕ号明細書
【発明の概要】
【発明が解決しようとする課題】
【０００７】
サイズ、電源などに関する既知の指紋識別ロックの重大な欠点を考慮して、本発明は、指紋識別ロックを解除する方法を提供する。
【課題を解決するための手段】
【０００８】
本発明の指紋識別ロックは、ロックフックを備えたロックボックスと、ロックボックスに着脱可能に積み重ねられてロックされる可動ロック片とを含む。ロックボックスには、可動ロック片に当接する押圧スイッチと、電源モジュールが装備されている。可動ロック片には、指紋取得モジュールまたは指紋読取装置が配置されている。可動ロック片がロックボックスに積み重ねられてロックボックスにロックされた状態では、可動ロック片はロックボックスに電気的に接続されている。ユーザーがロックボックスの押圧スイッチを押してロックボックスをオンにすると、ロックボックスの電源モジュールは、指紋取得または指紋識別のために可動ロック片に電力を供給してロックを解除し、可動ロック片のサイズを縮小して電力を節約する効果を達成できる。
【０００９】
本発明はさらに、指紋識別を備えたジッパーロックを提供し、ジッパーロックは、ジッパーを使用して開閉される物品に設置される。ジッパーロックは、可動ロック片と、ジッパーの一端に設けられたロックボックスを含む。可動ロック片は、ジッパーの開閉を制御するジッパーヘッドに接続されており、ジッパーヘッドがジッパーを閉じると、可動ロック片はロックボックスに着脱可能に積み重ねられ、ロックされる。
可動ロック片は内面と外面を有し、外面には指紋取得モジュールまたは指紋読取装置が設けられ、内面には指紋取得モジュールまたは指紋読取装置に電気的に接続された一組の接触端子およびロックボックスをロックするためのロック穴が設けられる。
ロックボックスは外面を有し、外面には可動ロック片の内面が重なり合うための位置決め部が設けられている。位置決め部には、可動ロック片の接触端子に接触可能な一組の弾性端子と、可動ロック片の内面に当接する押圧スイッチと、ロック穴にロック可能なロックフックとが設けられている。
ロックボックスには、接触端子と弾性端子間の接触を通じて指紋取得モジュールまたは指紋読取装置から信号を受信できるマイクロプロセッサと、マイクロプロセッサの命令を受信することにより、ロックフックのロック解除を制御する駆動ユニットと、弾性端子と押圧スイッチに電気的に接続された電源モジュールとが設置されている。
可動ロック片が押された後、押圧スイッチがオンになり、電源モジュールが電力の供給を開始し、弾性端子および接触端子を介して可動ロック片の指紋取得モジュールまたは指紋読取装置に電力が供給され、指紋取得または指紋識別を実行した後、信号は、接触端子と弾性端子を介してマイクロプロセッサに送信され、マイクロプロセッサは駆動ユニットを制御してロックフックをロック穴から外し、ロックを解除する。
【００１０】
実施において、可動ロック片上の指紋取得モジュールは、指紋を取得した後、指紋特性データ信号を送信し、マイクロプロセッサは比較および識別のために指紋特性データ信号を受信できる。指紋が正しいと識別されると、マイクロプロセッサは駆動ユニットを制御してロックフックのロックを解除する。または、可動ロック片の指紋読取装置は、指紋を取得して比較し、正しい指紋であれば、ロック解除信号を発信でき、ロック解除信号を受信した後、マイクロプロセッサは駆動ユニットを制御してロックフックを駆動し、ロックを解除する。
【発明の効果】
【００１１】
従来技術と比較して、本発明は、可動ロック片に指紋取得／識別機能を設置し、ロックボックスに電源機能を設置する。指紋の取得／識別が必要になると、ロックボックスのスイッチを押すことで、電源モジュールがトリガーされ、電力の供給が開始される。同時に、指紋識別ジッパーロックのサイズを縮小し、電力を節約する効果が得られる。
【図面の簡単な説明】
【００１２】
【図１】本発明の設置位置の模式図である。
【図２】本発明の立体分解図である。
【図３】本発明の別の角度からの立体分解図である。
【図４】本発明のロックボックスおよび可動ロック片のロック解除構造の模式図である。
【図５】本発明のロックボックスと可動ロック片のロック構造の模式図である。
【図６】本発明の指紋取得／識別の模式図である。
【図７】本発明が充電のために外部電源を使用する模式図である。
【図８】本発明の外部感知キーによる感知の模式図である。
【図９】本発明の外部感知キーによる感知後のロック解除の模式図である。
【発明を実施するための形態】
【００１３】
図１〜図９に示すように、本発明は指紋識別ロックを解除する方法である。指紋識別ロックは、ロックボックス１００と、ロックボックス１００に着脱可能に積み重ねられた可動ロック片２００とを備えている。ロックボックス１００には、可動ロック片２００に当接する押圧スイッチ１０と、指紋識別ロックの動作のための電力を供給する電源モジュール２０とが設けられている。可動ロック片２００には、指紋取得モジュール３０または指紋読取装置４０が設けられている。
【００１４】
押圧スイッチ１０は、通常、節電のために開回路であり、可動ロック片２００がロックボックス１００に積み重ねられてロックボックス１００にロックされると、可動ロック片２００はロックボックス１００に電気的に接続される。ユーザーが可動ロック片２００の指紋取得モジュール３０または指紋読取装置４０を押すと、それらは同時に押圧スイッチ１０を押してオンにする。ロックボックス１００は指紋取得または指紋識別してロックを解除するために可動ロック片２００に電力を供給し始める。
【００１５】
図では、指紋識別ロックは例としてジッパーロックを使用している。ジッパーロックは、図１に示すように、ジッパー３００を使用して開閉される物品４００に設置することができる。物品４００は、スーツケース、ブリーフケースなどであってもよい。しかし、実際には、本発明の指紋識別ロックは、指紋のロック解除を必要とするさまざまな物品に適用できることを排除しない。例えば、可動ロック片２００は箱の扉に配置され、ロックボックス１００は箱に固定される。
【００１６】
上述したように、本実施形態の指紋識別付きジッパーロックでは、ロックボックス１００がジッパー３００の一端に設けられている。可動ロック片２００は、ジッパー３００の開閉を制御するジッパーヘッド３０１に接続されており、ジッパーヘッド３０１がジッパー３００を閉じると、可動ロック片２００をロックボックス１００に着脱可能に積み重ねることができる。
【００１７】
図２から図５に示されるように、可動ロック片２００は、内面２０１と外面２０２とを有する。外面２０２には、前述の指紋取得モジュール３０または指紋読取装置４０が設けられており、内面２０１には、指紋取得モジュール３０または指紋読取装置４０に電気的に接続された一組の接触端子５０及びロックボックス１００がロックするロック穴６０が配置されている。
【００１８】
ロックボックス１００は外面１０１を有する。外面１０１には、可動ロック片２００の内面２０１が重なるための位置決め部１０２が設けられている。位置決め部１０２は、可動ロック片２００の外形とほぼ同じ溝状を有している。位置決め部１０２の底面には、上述の押圧スイッチ１０と、可動ロック片２００の接触端子５０に接触可能な弾性端子５１と、ロック穴６０にロック可能なロックフック６１とが設けられている。可動ロック片２００の内面２０１が溝状の位置決め部１０２に当接すると、押圧スイッチ１０が可動ロック片２００の内面２０１に当接する。そして、可動ロック片２００の外面２０２は、ロックボックス１００の外面１０１と実質的に面一であり、これにより、可動ロック片２００の衝突を可能な限り回避することができる。
【００１９】
ロックボックス１００は、内部にマイクロプロセッサ７０、マイクロプロセッサ７０からの命令を受けてロックフック６１のロック解除を制御する駆動ユニット６２、および前述の電源モジュール２０を備えている。電源モジュール２０は、弾性端子５１、押圧スイッチ１０、マイクロプロセッサ７０、および駆動ユニット６２にそれぞれ電気的に接続されている。押圧スイッチ１０が押されると、電源モジュール２０は電力の供給を開始する。
【００２０】
可動ロック片２００がロックボックス１００の位置決め部１０２に重なり、ロック穴６０がロックフック６１によってロックされると、可動ロック片２００の接触端子５０はロックボックス１００の弾性端子５１に電気的に接続される。
【００２１】
実施において、可動ロック片２００のロック穴６０がロックボックス１００のロックフック６１によってロックされる方法は、可動ロック片２００がロックボックス１００の位置決め部１０２に積み重ねられている時に、ユーザーが押圧スイッチ１０を押すことによって、押圧スイッチ１０がオンにされ、電源モジュール２０が電力の供給を開始した後、マイクロプロセッサ７０は、駆動ユニット６２を制御して、ロックフック６１を駆動して移動およびロックさせることである。ロック後、弾性端子５１またはプッシュスイッチ１０のリセット弾性力が維持されることによって、可動ロック片２００の内面２０１が保持される。押圧スイッチ１０がオフ状態に復元され、電源モジュール２０が電力の供給を停止し、ロック状態を維持する。
【００２２】
別の実行可能な実施形態は、一般に自己リセット式のロックフック６１を採用することである。すなわち、ロックフック６１は、弾性コンポーネント（図示せず）によって常に保持されており、ロック位置に保持されている。可動ロック片２００をロックボックス１００に積み重ねると、ロックフック６１を押して変位させることができ、ロックフック６１は弾性コンポーネントによってロック穴６０に自動的にロックされるため、ジッパーロックは電力を必要とせず、ロックすることができる。同様に、ロック後、押圧スイッチ１０は依然として電源オフの状態のままである。
【００２３】
実施において、ロックフック６１をロック穴６０に正確に位置合わせするために、可動ロック片２００の内面２０１と位置決め部１０２との間には、互いに位置合わせ可能な位置決めポスト８０および位置決め穴８１がそれぞれ設けられており、ユーザーが可動ロック片２００をロックボックス１００の位置決め部１０２に正確に積み重ねることを補助するためである。
【００２４】
図４〜６に示されるように、ユーザーがロック解除の準備ができて、可動ロック片２００の指紋取得モジュール３０または指紋読取装置４０を押すと、ユーザーは同時に押圧スイッチ１０を押してオンにする。このとき、電源モジュール２０は電力の供給を開始する。指紋取得または識別のために弾性端子５１および接触端子５０を介して指紋取得モジュール３０または指紋読取装置４０に電力が供給された後、接触端子５０および弾性端子５１を介して、可動ロック片２００上の指紋取得モジュール３０または指紋読取装置４０によって取得された指紋特徴、または指紋認識結果はマイクロプロセッサ７０に送信される。指紋の特徴または指紋認識結果が正しい指紋である場合、マイクロプロセッサ７０は駆動ユニット６２を制御してロックフック６１をロック穴６０から外し、ロック解除して、可動ロック片２００をロックボックス１００から解放してジッパーを開くことができるようにする。一方、可動ロック片２００がロックボックス１００から解放されると、押圧スイッチ１０は自動的に電源切断状態に復帰し、省電力の目的が達成される。
【００２５】
また、弾性端子５１は、ロックフック６１がロック穴６０から解放されると弾性力を解放することができるため、可動ロック片２００がロックボックス１００の位置決め部１０２から飛び出すことができ、ユーザーは可動ロック片２００に力を加えてジッパーを開くことができる。実施形態において、可動ロック片の内面とロックボックスの位置決め部の間にイジェクト装置を追加で設けることは除外されない。ロック解除後に可動ロック片がイジェクト装置を介して位置決め部から離脱することを補助するも実施方式の一つである。
【００２６】
上記の方法および構造により、本発明の指紋取得／識別機能は可動ロック片２００に設置され、電力供給機能はロックボックス１００に設置される。そして、指紋の取得／識別が必要になると、ロックボックス１００の押圧スイッチ１０を押すことで、電源モジュール２０がトリガーされ、電力の供給を開始し、省電力および指紋識別ジッパーロックのサイズを縮小することを達成する。
【００２７】
上述のように、指紋取得モジュール３０または指紋読取装置４０は、可動ロック片２００上に設置することができる。２つの実施形態は、わずかに異なるロック解除プロセスを有する。指紋取得モジュール３０が可動ロック片２００に設けられる実施形態は、指紋取得モジュール３０が指紋を取得し、指紋特性のデータ信号を送信した後、前述の弾性端子５１および接触端子５０を介してロックボックス１００に送信される。ロックボックス１００のマイクロプロセッサ７０は、比較および識別のために指紋特性データ信号を受信することができる。指紋が正しいと識別された後、マイクロプロセッサ７０は駆動ユニット６２を制御してロックフック６１をロック解除する。
【００２８】
指紋読取装置４０が可動ロック片２００に設置されている場合、指紋読取装置４０は、ロック解除時に指紋を直接取得して識別する。指紋読取装置４０が正しい指紋を認識した後、ロック解除信号が発信され、弾性端子５１および接触端子５０を介してロックボックス１００に送信され、ロックボックス１００のマイクロプロセッサ７０がロック解除信号を受信し、駆動ユニット６２を制御してロックフック６１を駆動してロック解除する。
【００２９】
さらに、図７に示すように、電源モジュール２０は、充／放電式バッテリー２１を含む。ロックボックス１００の外面１０１には、バッテリー２１に電気的に接続された充電プラグポート２２と、充電プラグポート２２を覆うことができる保護カバー２３とがさらに設けられている。充電プラグポート２２に接続された外部電源でバッテリー２１を充電する。バッテリー２１が使い果たされてロック解除できない場合、充電プラグポート２２を介して充電することができ、その後のロック解除操作を容易にする。
【００３０】
さらに、図８および図９に示すように、ロックボックス１００の外面１０１には、マイクロプロセッサ７０に電気的に接続された感知ユニット７１がさらに設けられている。感知ユニット７１は、外部感知キー７２をさらに含む。外部感知キー７２と感知ユニット７１が互いに感知すると、感知ユニット７１はロック解除信号を送信することができる。ロック解除信号を受信した後、マイクロプロセッサ７０は、駆動ユニット６２を制御して、ロックフック６１を駆動してロックを解除する。外部感知キー７２の機能は、スペアキーと類似し、ジッパーロックの実用性を高め、指紋取得モジュール３０または指紋読取装置４０が非常に特殊な条件下で指紋を取得または識別できないことを防ぐために、外部感知キー７２は依然としてロック解除に使用することができる。
【００３１】
図２および図３に示されるように、実施において、ロックボックス１００の外面１０１には、指紋を追加および削除することができる指紋設定キー９０と、状態を表示可能なＬＥＤ表示ランプ９１とがさらに設けられる。指紋設定キー９０およびＬＥＤ表示ランプ９１は、それぞれマイクロプロセッサ７０に電気的に接続されている。ユーザーは、指紋設定キー９０を介して指紋を追加および削除すると、ＬＥＤ表示ランプ９１の点滅回数などにより指紋が正常に追加または削除されたかどうかを知ることができる。実施において、感知ユニット７１およびＬＥＤ表示ランプ９１は、図に示されるように、別々に設定されるか、または同じコンポーネント上に統合され得る。
【００３２】
指紋取得モジュール３０または指紋読取装置４０を可動ロック片２００上に設けることができる前述の２つの実施形態に関連して、ユーザーが可動ロック片２００を押して押圧スイッチ１０をオンにし、電源モジュール２０が電力の供給を開始した後、指紋設定キー９０を押し続けると、指紋取得モジュール３０を使用して指紋の特徴を収集し、弾性端子５１と接触端子５０を介してロックボックス１００のマイクロプロセッサ７０に送信して、記憶する。指紋読取装置４０が可動ロック片２００に設けられている場合、指紋読取装置４０により新しい指紋を記憶することができる。
【００３３】
本発明の好ましい実施形態の上記説明は例示的なものであり、本発明を限定するものではない。本発明の目的、構造、装置、特徴などに類似または同様するものはすべて、本発明の特許請求の範囲内にあるものとする。
【符号の説明】
【００３４】
１００  ロックボックス
１０１  外面
１０２  位置決め部
２００  可動ロック片
２０１  内面
２０２  外面
３００  ジッパー
３０１  ジッパーヘッド
４００  物品
１０  押圧スイッチ
２０  電源モジュール
２１  バッテリー
２２  充電プラグポート
２３  保護カバー
３０  指紋取得モジュール
４０  指紋読取装置
５０  接点端子
５１  フレキシブル端子
６０  ロック穴
６１  ロックフック
６２  駆動ユニット
７０  マイクロプロセッサ
７１  感知ユニット
７２  外部感知キー
８０  位置決めポスト
８１  位置決め穴
９０  指紋設定キー
９  ＬＥＤ表示ランプ  
【要約】
【課題】指紋識別ロックを解除する方法および指紋識別を備えたジッパーロックの提供
【解決手段】指紋識別ロックを解除する方法および指紋識別を備えたジッパーロックであり, ロックボックスと、ロックボックスに取り外し可能に積み重ねられた可動ロック片とを含む。可動ロック片には、指紋取得モジュールまたは指紋読取装置が設置されている。ロックされた状態では、ロックボックスの電源はオフのままであり、ユーザーが可動ロック片を押すと、ロックボックスは、指紋取得または指紋識別のために端子を介して可動ロック片に電力を供給し、それによって節電を実現し、指紋識別ロックのサイズを縮小できる。
【選択図】図２【図１】
0006893569.tif 000002
【図２】
0006893569.tif 000003
【図３】
0006893569.tif 000004
【図４】
0006893569.tif 000005
【図５】
0006893569.tif 000006
【図６】
0006893569.tif 000007
【図７】
0006893569.tif 000008
【図８】
0006893569.tif 000009
【図９】
0006893569.tif 000010